(57)【特許請求の範囲】
【請求項１】
内容物を収納する充填空間を有する内層体と、該内層体を内側に収納するとともに該内層体との間に外気を導入する開口を有する外層体とを備え、内容物の注出口を有する注出キャップを該外層体の口部に装着した二重容器であって、
前記注出キャップは、前記注出口の周囲で前記口部の上部を覆う天壁と、前記天壁に一体連結され、前記口部を取り囲む周壁と、を備え、前記開口は、前記口部に形成された貫通孔であり、
前記注出キャップの内側に、前記注出口から前記充填空間に向けて延びる筒体を備えるホルダーを設け、
該ホルダーは、該筒体の内側に設けられる球面体と、該筒体の内周面に周方向に間隔をあけて配置され、該球面体を該筒体に沿って案内するとともにそれらの相互間に該球面体及び該筒体との間で内容物の流路を形成する複数本の縦リブとを備えることを特徴とする二重容器。
【請求項２】
前記ホルダーは、前記筒体の充填空間側の端部に、充填空間に向かうにつれて縮径し前記球面体と全周に亘って当接する傾斜壁を有する請求項１に記載の二重容器。
【請求項３】
前記縦リブは、前記球面体の前記注出口側の抜け止めとなる突起を有する請求項１又は２に記載の二重容器。
【発明の詳細な説明】
【技術分野】
【０００１】
本発明は、内容物の充填空間を有する内層体と、この内層体を内側に収納する外層体とを備え、内容物の注出口を有する注出キャップを外層体の口部に装着した二重容器に関するものである。
【背景技術】
【０００２】
化粧水などの化粧料やシャンプーやリンスあるいは液体石鹸、また食品調味料などを収納する容器としては、内容物の充填空間を有する内層体と、この内層体を剥離可能に収納するとともにその口部に内容物の注出口を有する注出キャップを備える外層体とからなり、例えば、外層体の胴部を押圧することで内容物を注出する一方、押圧解除後は胴部が復元し、内層体と外層体との間に外気を導入して内層体を減容できるようにした二重容器（デラミ容器とも言う）が知られている（例えば特許文献１参照）。この種の容器は、充填空間内の内容物と外気との置換を行うことなく内容物を注出することができるので、特に、外気との接触によって品質が低下するおそれのある内容物を収納する容器として好適である。
【先行技術文献】
【特許文献】
【０００３】
【特許文献１】実開平７−２２９５１号公報
【発明の概要】
【発明が解決しようとする課題】
【０００４】
ところで、特許文献１に記載された二重容器は、注出キャップ体の内側に内容物吐出弁を設けて、注出キャップ体の先端に設けられた注出口付近に、常時、内容物を存在させることで、容器本体の押圧によって内容物を素早く注出させることができ、併せて、押圧を停止するとその注出を直ぐに停止できるとするものであり、その結果、注出後の内容物の液だれを防止することもできる。しかしながら、注出口付近の内容物は、キャップ体の先端にかぶせたカバーキャップを取り外した状態では、外気に曝されたままとなってしまうため、カバーキャップの閉め忘れ等によっては、内容物の品質が低下するおそれがある。このため、内容物の注出後の液だれを抑制できるとともに、カバーキャップを取り外した状態でも、内容物が外気に曝されるおそれを極力低減することができる二重容器が求められていた。
【０００５】
本発明の課題は、内容物と外気との接触を極力抑えることができ、また、内容物を注出した後の液だれを防止できる新規な二重容器を提案するところにある。
【課題を解決するための手段】
【０００６】
本発明は、内容物を収納する充填空間を有する内層体と、該内層体を内側に収納するとともに該内層体との間に外気を導入する開口を有する外層体とを備え、内容物の注出口を有する注出キャップを該外層体の口部に装着した二重容器であって、
前記注出キャップは、前記注出口の周囲で前記口部の上部を覆う天壁と、前記天壁に一体連結され、前記口部を取り囲む周壁と、を備え、前記開口は、前記口部に形成された貫通孔であり、
前記注出キャップの内側に、前記注出口から前記充填空間に向けて延びる筒体を備えるホルダーを設け、
該ホルダーは、該筒体の内側に設けられる球面体と、該筒体の内周面に周方向に間隔をあけて配置され、該球面体を該筒体に沿って案内するとともにそれらの相互間に該球面体及び該筒体との間で内容物の流路を形成する複数本の縦リブとを備えることを特徴とする二重容器である。
【０００７】
前記ホルダーは、前記筒体の充填空間側の端部に、充填空間に向かうにつれて縮径し前記球面体と全周に亘って当接する傾斜壁を有することが好ましい。
【０００８】
前記縦リブは、前記球面体の前記注出口側の抜け止めとなる突起を有することが好ましい。
【発明の効果】
【０００９】
注出キャップの内側に、注出口から充填空間に向けて延びる筒体を備えるホルダーを設け、ホルダーに、筒体の内側に設けられる球面体と、筒体の内周面に周方向に間隔をあけて複数本形成され、球面体を該筒体に沿って案内するとともにそれらの相互間に内容物の流路を有するリブを設けたので、内容物の注出に当たり容器を傾斜姿勢に変移させることによって注出口へ向けて変位した球面体が、注出後、元の位置に戻ることによって、注出口付近の内容物も一緒に充填空間内に引き戻すことができ、これにより液だれを防止することが可能となる。
【００１０】
筒体の充填空間側の端部に、充填空間に向かうにつれて縮径し球面体と全周に亘って当接する傾斜壁を設ける場合は、充填空間内が外気に曝されないので、外気との接触に伴い内容物の品質が低下するおそれを極力抑えることができる。
【００１１】
注出時に球面体が抜け落ちる不具合を防止するべく、縦リブの注出口側に突起を設けることが好ましい。
【図面の簡単な説明】
【００１２】
【図１】本発明に従う二重容器の実施の形態を示す、起立姿勢の容器であって、容器の軸線を境として左側は断面図であり、右側は側面図である。
【図２】図１に示すＡ−Ａに沿う断面図である。
【図３】図１に示す容器を傾斜姿勢に変移させて内容物を注出する状態を示す図である。
【図４】球面体５０の変形例であって、（ａ）は２つの半球部分を、これらと同径となる円柱部分でつなげた球面体であり、（ｂ）は２つの半球部分を、これらよりも小径となる円柱部分でつなげた球面体である。
【発明を実施するための形態】
【００１３】
以下、図面を参照して、本発明をより具体的に説明する。
図１は、本発明に従う二重容器の実施の形態を示す、起立姿勢の容器であって、容器の軸線を境として左側は断面図であり、右側は側面図であって、図２は、図１に示すＡ−Ａに沿う断面図であって、図３は、図１に示す容器を傾斜姿勢に変移させて内容物を注出する状態を示す図である。
【００１４】
図１において、符号１０は内容物を収納する充填空間Ｍを有する内層体である。内層体１０は、薄肉の合成樹脂にて形成されていて、その胴部が押し潰されることで充填空間Ｍの減容が可能となっている。また、その上端部には、充填空間Ｍにつながる上部開口１１を備えている。
【００１５】
符号２０は、本発明の二重容器の外殻を形成する外層体である。外層体２０は、その内側の空間に内層体１０を剥離可能に設けている。また、外層体２０の口部２１の外周面には、図示の例ではねじ部２２を設けている。外層体２０は、図示は省略するが、例えば外層体２０の底部に設けられる、内層体１０と外層体２０とを接合したピンチオフ部に形成される底割れ状のスリットや、図１に二点鎖線で示すように、口部２１を貫通する貫通孔（以下、これらのスリットや貫通孔を開口２３という）を備えていて、この開口２３を通して外気を内層体１０と外層体２０との相互間に導入することができる。
【００１６】
符号３０は、外層体２０に装着されて充填空間Ｍ内の内容物を注出する注出キャップである。注出キャップ３０は、その上部に内容物の注出口３１を形成する注出筒３２を有し、この注出筒３２と一体連結するとともに外層体２０の口部２１を覆う天壁３３を備えている。なお、注出口３１は、天壁３３を直接貫通させて設けた貫通孔であってもよい。また、天壁３３の外周縁には、口部２１を取り囲む周壁３４を一体連結していて、周壁３４の内周面には、ねじ部２２に対応する被ねじ部３５を設けている。これにより注出キャップ３０は、外層体２０に対して着脱可能に保持されている。なお、ねじ部２２及び被ねじ部３５に代えて、注出キャップ３０をアンダーカットで保持するようにしてもよい。また、天壁３３の裏面には、注出筒３２の内周面に連続する環状体３６を設けている。
【００１７】
符号４０は、注出キャップ３０の内側に設けられるホルダーである。ホルダー４０は、注出口３１から注出筒３２を介して充填空間Ｍに向けて延びる筒体４１を備えている。筒体４１は、上部開口１１を覆う頂壁４２に一体連結されていて、外層体２０の口部２１と注出キャップ３０の天壁３３との間で挟持される。また、頂壁４２の裏面には、内層体１０に当接して内容物の漏れ出しを阻止する環状のシール壁４３を備えている。ここで、筒体４１の上部には、環状体３６が挿入されていて、これによりホルダー４０は、注出キャップ３０に位置決めされている。
【００１８】
筒体４１の内周面には、周方向に間隔をあけて配置され、この筒体４１の軸線に沿って延びる複数本の縦リブ４４が設けられている。本実施の形態においては、図２に示すように、４本の縦リブ４４を周方向に均等な角度で配置していて、これらの縦リブ４４の相互間には、隙間４５が形成されている。さらに、図１に示すように、縦リブ４４は、注出口３１側に、半径方向内側に向けて突出する突起４６を備えている。
【００１９】
また、筒体４１は、充填空間Ｍ側の端部に、充填空間に向かうにつれて縮径する円錐状の傾斜壁４７を備えている。そして、傾斜壁４７の充填空間Ｍ側の端部は開口して、注出口３１につながる注入口４８を形成している。
【００２０】
符号５０は、金属製又は合成樹脂製であって、筒体４１の内側に設けられる球面体である。本明細書において球面体５０とは、図１〜図３に示すように球形状のものに限られず、図４（ａ）に示すように、２つの半球部分５１をこれらと同径となる円柱部分５２でつなげた形状となるものや、図４（ｂ）に示すように、２つの半球部分５１を、これらよりも小径となる円柱部分５３でつなげた形状となるものも含み、筒体４１の内側に設けられた際、この筒体４１の軸線方向の両端部が球面形状となるものを意味する。球面体５０は、図１に示すように、外層体２０の起立姿勢では、それ自身の自重によって傾斜壁４７に全周に亘って当接している。
【００２１】
符号６０は、注出キャップ３０の周壁３４にヒンジｈを介して連結する蓋体である。蓋体６０の外周面には、ヒンジｈと反対側に摘みＴを備えている。また、蓋体６０の内側には、注出口３１を封止する環状の蓋体シール壁６１を設けている。なお、蓋体６０は、注出キャップ３０にねじ止めされるスクリュータイプの蓋体や、アンダーカットで係止される蓋体であってもよい。
【００２２】
上記のように構成される二重容器は、上述したように、外層体２０の起立姿勢において、球面体５０が全周に亘って傾斜壁４７に当接しているので、充填空間Ｍ内の内容物が筒体４１内の外気に接触する不具合を有効に防止することができる。
【００２３】
また、内容物を注出するに当たっては、図３に示すように容器を傾斜姿勢に変位させる。この時、球面体５０は、縦リブ４４によって部分的に支持されることになるので、注出口３１側へ移動する際の抵抗が少なくなり、途中で止まることなく突起４６に当たるまで案内させることができる。そして、注入口４８を通過した充填空間Ｍ内の内容物は、隣り合う縦リブ４４の相互間に形成される隙間４５、球面体５０、及び筒体４１で形成される流路を通して、注出口３１から外界へ注出される。なお、内容物の注出は、内容物の粘度によっては、外層体２０の胴部を押圧、復元させることなく、傾斜姿勢に変位させるだけで注出することができる。そして、内層体１０は、外層体２０に剥離可能に設けられている上、内層体１０と外層体２０との相互間には、開口２３を通して外気が導入されるので、内容物の注出に伴い内層体１０を減容させることができる。
【００２４】
そして注出後は、図３に示す容器を、図１に示す起立姿勢に変位させる。そして縦リブ４４によって移動時の抵抗が減らされた球面体５０は、それ自身の自重によって元の充填空間Ｍ側に変位するので、注出口３１付近の内容物を充填空間Ｍ内に引き込むことができ、注出口３１からの液だれを防止することが可能となる。
【００２５】
なお、球面体５０として、図１に示す球形状のものを合成樹脂で形成するに当たっては、金型構成上、その中央にパーティングラインが形成されて段差が生じ、傾斜壁４７と接触した際、球面体５０と傾斜壁４７との間に隙間が生じるおそれがある。そして、このような場合は、例えば研磨等によって、この段差を取り除くことが可能であるところ、球面体５０として、図４（ａ）、（ｂ）に示すような形状にして、それらの両端部の半球部分５１は、球面体５０の軸線に沿って上下に移動する金型で形成し、円柱部分５２、５３は、球面体５０の軸線に直交する向きに移動する金型で形成することで、上記のような研磨作業を行うことなく、隙間が生じるおそれを回避することができる。
【産業上の利用可能性】
【００２６】
本発明によれば、充填空間内の内容物と外気との接触を抑制することが可能であり、さらに、内容物を注出した後はバックサクション機能を発揮させて内容物を充填空間内に引き戻すことができるので、注出口からの液だれも防止することができる、使い勝手のよい二重容器を提供できる。
【符号の説明】
【００２７】
１０  内層体
２０  外層体
２３  開口
３０  注出キャップ
３１  注出口
４０  ホルダー
４１  筒体
４４  縦リブ
４６  突起
４７  傾斜壁
５０、５０Ａ、５０Ｂ  球面体
Ｍ    充填空間
【図１】
0005797585.tif 000002
【図２】
0005797585.tif 000003
【図３】
0005797585.tif 000004
【図４】
0005797585.tif 000005